(57)【要約】  発光素子を備える表示装置において、光取り出し効率および輝度視野角特性を向上させる。  表示装置は、発光素子と、集光レンズと、散乱レンズとを備える。発光素子は、光を発する素子である。集光レンズは、発光素子から発光された光を集光するレンズである。散乱レンズは、集光レンズによって集光された光を散乱させるレンズである。集光レンズおよび散乱レンズを組み合わせることにより、光取り出し効率および輝度視野角特性を向上させる。
2019159641.tif 000002
【特許請求の範囲】
【請求項１】
発光素子と、
前記発光素子から発光された光を集光する集光レンズと、
前記集光レンズによって集光された光を散乱させる散乱レンズと
を具備する表示装置。
【請求項２】
複数の画素を平面上に配置し、
前記複数の画素の少なくとも一部の画素は、前記発光素子、前記集光レンズおよび前記散乱レンズの組を備える
請求項１記載の表示装置。
【請求項３】
前記画素の周囲に隔壁をさらに具備する請求項２記載の表示装置。
【請求項４】
前記隔壁は、前記画素内の光を反射する
請求項３記載の表示装置。
【請求項５】
前記隔壁は、前記画素内の光を吸収する
請求項３記載の表示装置。
【請求項６】
前記発光素子、前記集光レンズおよび前記散乱レンズの組は、特定の色の画素にのみ設けられる
請求項２記載の表示装置。
【請求項７】
前記特定の色の画素は、白色画素である
請求項６記載の表示装置。
【請求項８】
前記集光レンズまたは前記散乱レンズの周囲において光を吸収する光吸収層をさらに具備する請求項１記載の表示装置。
【請求項９】
前記光吸収層は、前記集光レンズまたは前記散乱レンズの一部を覆う
請求項８記載の表示装置。
【請求項１０】
前記光吸収層の下に光を反射する光反射層をさらに具備する請求項８記載の表示装置。
【請求項１１】
前記発光素子の周囲において光を反射する光反射層をさらに具備する請求項１記載の表示装置。
【請求項１２】
前記光反射層は、前記集光レンズの方向に拡がり角を備える
請求項１１記載の表示装置。
【請求項１３】
前記集光レンズは、色変化層を備える
請求項１記載の表示装置。
【請求項１４】
前記散乱レンズは、色変化層を備える
請求項１記載の表示装置。
【請求項１５】
前記散乱レンズと前記集光レンズとの間に対向基板をさらに具備する請求項１記載の表示装置。
【請求項１６】
前記散乱レンズおよび前記集光レンズは、前記発光素子の中心軸から所定の距離ずれた位置に設けられる
請求項１記載の表示装置。
【請求項１７】
基板の上に電極を形成する手順と、
前記電極の上に発光素子を形成する手順と、
前記発光素子を覆う保護層を形成する手順と、
前記保護層の上に湾曲形状を形成する手順と、
前記湾曲形状に沿って集光レンズを形成する手順と、
前記集光レンズの表面に散乱レンズを形成する手順と
を備える表示装置の製造方法。
【発明の詳細な説明】
【技術分野】
【０００１】
本技術は、表示装置に関する。詳しくは、発光素子を備える表示装置およびその製造方法に関する。
【背景技術】
【０００２】
画像を表示させるための発光モジュールにおいては、有機エレクトロルミネッセンス（ＥＬ：Electro-Luminescence）素子などの自発光素子からの光を、集光レンズにより集光して、表示している。例えば、発光素子が発する光を集光する集光レンズと、集光レンズを覆う反射層と、反射層を覆う光吸収層とを備える表示装置が提案されている（例えば、特許文献１参照。）。
【先行技術文献】
【特許文献】
【０００３】
【特許文献１】特開２０１１−１００７１５号公報
【発明の概要】
【発明が解決しようとする課題】
【０００４】
上述の従来技術では、光取り出し効率を維持しながら外光反射を抑制していた。しかしながら、取り出された光は正面への指向性が高いため、輝度視野角特性が劣化するという問題があった。また、レンズ正面からの光については外光反射を抑制することができないという問題があった。【０００５】
本技術はこのような状況に鑑みて生み出されたものであり、光取り出し効率および輝度視野角特性を向上させることを目的とする。
【課題を解決するための手段】
【０００６】
本技術は、上述の問題点を解消するためになされたものであり、その第１の側面は、発光素子と、上記発光素子から発光された光を集光する集光レンズと、上記集光レンズによって集光された光を散乱させる散乱レンズとを具備する表示装置である。これにより、集光レンズにより光を集光するとともに、集光された光を散乱レンズにより散乱させて光取り出し効率および輝度視野角特性を向上させるという作用をもたらす。【０００７】
また、この第１の側面において、複数の画素を平面上に配置し、上記複数の画素の少なくとも一部の画素は、上記発光素子、上記集光レンズおよび上記散乱レンズの組を備えるようにしてもよい。これにより、複数の画素の少なくとも一部の画素において、光取り出し効率および輝度視野角特性を向上させるという作用をもたらす。【０００８】
また、この第１の側面において、上記画素の周囲に隔壁をさらに具備してもよい。これにより、他の画素との混色を防止するという作用をもたらす。この場合において、上記隔壁は、上記画素内の光を反射するものであってもよく、また、上記画素内の光を吸収するものであってもよい。【０００９】
また、この第１の側面において、上記発光素子、上記集光レンズおよび上記散乱レンズの組は、特定の色の画素にのみ設けられるようにしてもよい。この場合において、上記特定の色の画素は、白色画素であってもよい。これにより、必要に応じて外光の反射を低減するという作用をもたらす。【００１０】
また、この第１の側面において、上記集光レンズまたは上記散乱レンズの周囲において光を吸収する光吸収層をさらに具備してもよい。この場合において、上記光吸収層は、上記集光レンズまたは上記散乱レンズの一部を覆うようにしてもよい。また、この場合において、上記光吸収層の下に光を反射する光反射層をさらに具備してもよい。これにより、光取り出し効率をさらに向上させるという作用をもたらす。【００１１】
また、この第１の側面において、上記発光素子の周囲において光を反射する光反射層をさらに具備してもよい。これにより、光取り出し効率をさらに向上させるという作用をもたらす。この場合において、上記光反射層は、上記集光レンズの方向に拡がり角を備えてもよい。【００１２】
また、この第１の側面において、上記集光レンズは、色変化層を備えてもよい。これにより、色変化層と集光レンズを一体化して形成させるという作用をもたらす。【００１３】
また、この第１の側面において、上記散乱レンズは、色変化層を備えてもよい。これにより、色変化層と散乱レンズを一体化して形成させるという作用をもたらす。【００１４】
また、この第１の側面において、上記散乱レンズと上記集光レンズとの間に対向基板をさらに具備してもよい。【００１５】
また、この第１の側面において、上記散乱レンズおよび上記集光レンズは、上記発光素子の中心軸から所定の距離ずれた位置に設けられてもよい。これにより、発光素子からの光の方向を任意の方向に傾けるという作用をもたらす。【００１６】
また、本技術の第２の側面は、基板の上に電極を形成する手順と、上記電極の上に発光素子を形成する手順と、上記発光素子を覆う保護層を形成する手順と、上記保護層の上に湾曲形状を形成する手順と、上記湾曲形状に沿って集光レンズを形成する手順と、上記集光レンズの表面に散乱レンズを形成する手順とを備える表示装置の製造方法である。これにより、集光レンズにより光を集光するとともに、集光された光を散乱レンズにより散乱させて光取り出し効率および輝度視野角特性を向上させる表示装置を製造するという作用をもたらす。
【発明の効果】
【００１７】
本技術によれば、光取り出し効率および輝度視野角特性を向上させることができるという優れた効果を奏し得る。なお、ここに記載された効果は必ずしも限定されるものではなく、本開示中に記載されたいずれかの効果であってもよい。
【図面の簡単な説明】
【００１８】
【図１】本技術の実施の形態における表示装置１００の全体構成の一例を示す図である。
【図２】本技術の実施の形態における画素回路１０１の回路構成例を示す図である。
【図３】本技術の実施の形態における表示装置１００の発光モジュール部分の概略断面構造の一例を示す図である。
【図４】本技術の実施の形態における光路の一例を示す図である。
【図５】本技術の実施の形態における表示装置１００の発光モジュール部分の製造工程の一例を示す図である。
【図６】本技術の実施の形態における発光モジュール部分の第１の変形例を示す図である。
【図７】本技術の実施の形態における発光モジュール部分の第２の変形例を示す図である。
【図８】本技術の実施の形態における発光モジュール部分の第３の変形例を示す図である。
【図９】本技術の実施の形態における発光モジュール部分の第４の変形例を示す図である。
【図１０】本技術の実施の形態における発光モジュール部分の第５の変形例を示す図である。
【図１１】本技術の実施の形態における発光モジュール部分の第６の変形例を示す図である。
【図１２】本技術の実施の形態における発光モジュール部分の第７の変形例を示す図である。
【図１３】本技術の実施の形態における発光モジュール部分の第８の変形例を示す図である。
【図１４】本技術の実施の形態における発光モジュール部分の第９の変形例を示す図である。
【図１５】本技術の実施の形態における発光モジュール部分の第１０の変形例を示す図である。
【図１６】本技術の実施の形態における発光モジュール部分の第１１の変形例を示す図である。
【図１７】本技術の実施の形態における発光モジュール部分の第１２の変形例を示す図である。
【図１８】本技術の実施の形態における発光モジュール部分の第１３の変形例を示す図である。
【図１９】本技術の実施の形態における発光モジュール部分の第１４の変形例を示す図である。
【図２０】本技術の実施の形態における発光モジュール部分の第１５の変形例を示す図である。
【図２１】本技術の実施の形態の第１の適用例であるスマートフォン４０１の外観を示す図である。
【図２２】本技術の実施の形態の第２の適用例であるデジタルカメラ４１１の前方（被写体側）から眺めた外観を示す図である。
【図２３】本技術の実施の形態の第２の適用例であるデジタルカメラ４１１の後方から眺めた外観を示す図である。
【図２４】本技術の実施の形態の第３の適用例であるＨＭＤ４３１の外観を示す図である。
【発明を実施するための形態】
【００１９】
以下、本技術を実施するための形態（以下、実施の形態と称する）について説明する。説明は以下の順序により行う。
１．実施の形態
２．変形例
３．適用例
【００２０】
＜１．実施の形態＞
［表示装置の構成］
図１は、本技術の実施の形態における表示装置１００の全体構成の一例を示す図である。
【００２１】
この表示装置１００は、例えば、画素アレイ部１０２と、これを駆動する駆動部とを備える。駆動部は、水平セレクタ１０３と、ライトスキャナ１０４と、電源スキャナ１０５とを備える。
【００２２】
画素アレイ部１０２は、行列状に配置された複数の画素回路１０１を備える。複数の画素回路１０１の各行に対応して、電源線ＤＳＬおよび走査線ＷＳＬが設けられる。また、複数の画素回路１０１の各列に対応して、信号線ＤＴＬが設けられる。
【００２３】
ライトスキャナ１０４は、走査線ＷＳＬの各々に順次、制御信号を供給して、画素回路１０１を行単位で線順次走査するものである。電源スキャナ１０５は、線順次走査に合わせて、電源線ＤＳＬの各々に電源電圧を供給するものである。水平セレクタ１０３は、線順次走査に合わせて、列状の信号線ＤＴＬに、映像信号となる信号電位および基準電位を供給するものである。
【００２４】
図２は、本技術の実施の形態における画素回路１０１の回路構成例を示す図である。
【００２５】
画素回路１０１は、例えば、有機ＥＬ素子などの発光素子１４と、サンプリングトランジスタ１１と、駆動トランジスタ１２と、保持容量１３とを備える。
【００２６】
サンプリングトランジスタ１１は、ゲートが対応する走査線ＷＳＬに接続され、ソースおよびドレインの一方が対応する信号線ＤＴＬに接続され、ソースおよびドレインの他方が駆動トランジスタ１２のゲートに接続される。
【００２７】
駆動トランジスタ１２は、ソースが発光素子１４のアノードに接続され、ドレインが対応する電源線ＤＳＬに接続される。発光素子１４のカソードは接地配線１５に接続される。なお、この接地配線１５は全ての画素回路１０１に対して共通に配線される。
【００２８】
保持容量１３は、駆動トランジスタ１２のソースとゲートの間に接続される。保持容量１３は、信号線ＤＴＬから供給される映像信号の信号電位を保持するものである。
【００２９】
［画素構造］
図３は、本技術の実施の形態における表示装置１００の発光モジュール部分の概略断面構造の一例を示す図である。
【００３０】
この実施の形態における画素は、基板１１０上に、電極１２０と、発光素子１３０と、保護層１４０と、カラーフィルタ１５０と、レンズ１６０と、光吸収層１７０とを備える。
【００３１】
電極１２０は、発光素子１３０のアノード電極であり、例えば、ＡｌＣｕ合金、錫（Ｔｉ）などの金属、酸化インジウム錫（ＩＴＯ：Indium Tin Oxide）の透明電極などが想定される。
【００３２】
発光素子１３０は、電気信号を光信号に変換する上述の発光素子１４であり、例えば、有機ＥＬ素子が想定される。この場合、カソード電極と電極１２０との間に有機層が形成される。カソード電極の材料は、例えば、ＭｇＡｇ合金や酸化インジウム錫（ＩＴＯ）の透明電極などが想定される。
【００３３】
保護層１４０は、発光素子１３０を覆い、発光素子１３０の劣化を防ぐためのバリア層である。この保護層１４０の材料は、例えば、窒化シリコン（ＳｉＮ）が想定される。
【００３４】
カラーフィルタ１５０は、発光素子１３０からの光の色を変化させる色変化部材である。このカラーフィルタ１５０は、例えば、フォトレジストなどの有機材料に有機顔料を混合してフォトリソグラフィを行うことにより形成される。このカラーフィルタ１５０は、例えばベイヤー配列などの色配置を備える。画素の色は白色であってもよく、その場合には、このカラーフィルタ１５０は、全ての色を通過させる透明なフィルタであり、光の色を変化させない。
【００３５】
この実施の形態においては、このカラーフィルタ１５０は、保護層１４０との間の境界面において湾曲形状を有する。これにより、カラーフィルタ１５０は、発光素子から発光された光を集光する集光レンズとしての機能を有する。
【００３６】
レンズ１６０は、カラーフィルタ１５０の上に設けられた光学素子である。このレンズ１６０は、カラーフィルタ１５０の集光レンズによって集光された光を散乱させる散乱レンズとしての機能を有する。カラーフィルタ１５０およびレンズ１６０は、ともに樹脂を材料とし、同一材料を用いることもできる。ただし、レンズ１６０は透明な材料である必要がある。
【００３７】
光吸収層１７０は、カラーフィルタ１５０の上のレンズ１６０の周囲に設けられ、カラーフィルタ１５０の集光レンズによって集光された光を吸収する層である。
【００３８】
［光路］
図４は、本技術の実施の形態における光路の一例を示す図である。
【００３９】
発光素子１３０から発光された光は、同図の実線に示すように、カラーフィルタ１５０の集光レンズによって集光され、レンズ１６０の散乱レンズによって散乱される。集光レンズおよび散乱レンズを組み合わせることにより、発光素子１３０から発光された光の光取り出し効率は向上する。また、散乱レンズによる光の散乱によって輝度視野角を広げることができる。
【００４０】
一方、レンズ１６０の正面からの外光は、同図の点線に示すように、レンズ１６０の散乱レンズによって散乱され、発光素子１３０に到達し難くなる。これにより、外光の発光素子１３０における反射を低減することができる。
【００４１】
［製造工程］
図５は、本技術の実施の形態における表示装置１００の発光モジュール部分の製造工程の一例を示す図である。
【００４２】
まず、同図におけるａに示されるように、基板１１０の上に電極１２０が形成される。この電極１２０は、リソグラフィにより形成される。すなわち、電極１２０となる材料を成膜した後にパターニングをし、レジストでマスクしてエッチングにより不要部分を削り、マスクのレジストを除去することにより、電極１２０が形成される。
【００４３】
そして、同図におけるｂに示されるように、電極１２０の上に発光素子１３０が形成される。この発光素子１３０は、蒸着により形成される。すなわち、気相中で発光素子１３０となる材料の薄膜を堆積することにより形成される。
【００４４】
そして、同図におけるｃに示されるように、発光素子１３０が形成された基板表面に、保護層１４０が形成される。この保護層１４０は、化学気相成長（ＣＶＤ：Chemical Vapor Deposition）により形成される。このとき、保護層１４０の表面において、レジストを用いて湾曲形状が形成される。
【００４５】
そして、同図におけるｄに示されるように、カラーフィルタ１５０が形成される。このカラーフィルタ１５０は、保護層１４０の表面の湾曲形状に沿って形成され、集光レンズとしての機能を有する。このカラーフィルタ１５０は、リソグラフィまたは化学気相成長により形成される。
【００４６】
そして、同図におけるｅに示されるように、レンズ１６０が形成される。このレンズ１６０は、散乱レンズとしての機能を有する。このレンズ１６０は、リソグラフィにより形成される。
【００４７】
そして、同図におけるｆに示されるように、レンズ１６０の周囲に光吸収層１７０が形成される。この光吸収層１７０は、リソグラフィにより形成される。
【００４８】
このように、本技術の実施の形態によれば、集光レンズおよび散乱レンズを組み合わせることにより、光取り出し効率および輝度視野角特性を向上させ、外光の反射を低減することができる。外光反射は白色の画素において特に問題になるため、白色の画素にこの実施の形態を適用すると特に有用である。
【００４９】
＜２．変形例＞
上述の実施の形態では、カラーフィルタ１５０の下面において凹状の集光レンズを一体形成するとともに、カラーフィルタ１５０の上面には別体のレンズ１６０を凸状の散乱レンズとして設けていた。ただし、集光レンズおよび散乱レンズとしての機能は、凹凸形状以外にも、材料の屈折率によっても調整可能である。以下では、レンズの形状の他、光の吸収または反射を実現するための様々な変形例について説明する。
【００５０】
［第１の変形例］
図６は、本技術の実施の形態における発光モジュール部分の第１の変形例を示す図である。
【００５１】
この第１の変形例では、上述の実施の形態におけるレンズ１６０を別体として設けずに、カラーフィルタ１５０の上面に凹状の散乱レンズを一体形成する。これにより、カラーフィルタ１５０に集光レンズおよび散乱レンズの両者の機能をもたせて、レンズ１６０を形成する工程を省くことができる。
【００５２】
また、この第１の変形例では、画素の周囲に隔壁１８０を備える。この隔壁１８０は、色変化部材または光反射層からなり、他の画素と隔てる壁である。これにより、隣接する他の画素との混色を防止することができる。
【００５３】
［第２の変形例］
図７は、本技術の実施の形態における発光モジュール部分の第２の変形例を示す図である。
【００５４】
この第２の変形例では、カラーフィルタ１５０の下面において凸状の集光レンズを一体形成する。すなわち、集光レンズの凹凸形状において上述の実施の形態とは異なっており、他の構造については上述の実施の形態と同様である。
【００５５】
［第３の変形例］
図８は、本技術の実施の形態における発光モジュール部分の第３の変形例を示す図である。
【００５６】
この第３の変形例では、カラーフィルタ１５０の上面において凹状の散乱レンズを一体形成するとともに、カラーフィルタ１５０の下面において凹状の集光レンズを一体形成する。すなわち、カラーフィルタ１５０の下面に一体形成される集光レンズの凹凸形状において上述の第１の変形例と異なっており、他の構造については上述の第１の変形例と同様である。
【００５７】
［第４の変形例］
図９は、本技術の実施の形態における発光モジュール部分の第４の変形例を示す図である。
【００５８】
この第４の変形例では、カラーフィルタ１５０の下面において凸状の集光レンズを一体形成するとともに、画素の周囲に隔壁１８０を備える。すなわち、上述の第２の変形例に隔壁１８０を設けた構造になっている。
【００５９】
［第５の変形例］
図１０は、本技術の実施の形態における発光モジュール部分の第５の変形例を示す図である。
【００６０】
この第５の変形例では、上述の実施の形態における光吸収層１７０を、レンズ１６０の周囲ではなく、カラーフィルタ１５０の集光レンズの周囲に設けた構造になっている。すなわち、この光吸収層１７０は、集光レンズまたは散乱レンズの何れの周囲に設けてもよい。
【００６１】
［第６の変形例］
図１１は、本技術の実施の形態における発光モジュール部分の第６の変形例を示す図である。
【００６２】
この第６の変形例では、上述の第１の変形例における光吸収層１７０を、レンズ１６０の周囲ではなく、カラーフィルタ１５０の集光レンズの周囲に設けた構造になっている。他の構造については上述の第１の変形例と同様である。
【００６３】
［第７の変形例］
図１２は、本技術の実施の形態における発光モジュール部分の第７の変形例を示す図である。
【００６４】
この第７の変形例では、上述の実施の形態における光吸収層１７０を取り除いた構造になっている。すなわち、光吸収層１７０は、効果を高めるための任意の構造であり、集光レンズおよび散乱レンズの組合せを設けることにより本技術の実施の形態としての効果を奏することができる。
【００６５】
［第８の変形例］
図１３は、本技術の実施の形態における発光モジュール部分の第８の変形例を示す図である。
【００６６】
この第８の変形例では、上述の第１の変形例または第６の変形例における光吸収層１７０を取り除いた構造になっている。すなわち、上述のように、光吸収層１７０は、効果を高めるための任意の構造であり、集光レンズおよび散乱レンズの組合せを設けることにより本技術の実施の形態としての効果を奏することができる。
【００６７】
［第９の変形例］
図１４は、本技術の実施の形態における発光モジュール部分の第９の変形例を示す図である。
【００６８】
この第９の変形例では、上述の実施の形態における光吸収層１７０を隔壁として設けた構造になっている。すなわち、光吸収層１７０は、集光レンズまたは散乱レンズの何れかの周囲における膜状の構造ではなく、カラーフィルタ１５０において他の画素と隔てる隔壁として設けられている。これにより、隣接する他の画素との混色を防止することができる。
【００６９】
［第１０の変形例］
図１５は、本技術の実施の形態における発光モジュール部分の第１０の変形例を示す図である。
【００７０】
この第１０の変形例では、上述の第１の変形例または第６の変形例における光吸収層１７０を隔壁として設けた構造になっている。すなわち、光吸収層１７０は、集光レンズまたは散乱レンズの何れかの周囲における膜状の構造ではなく、上述の隔壁１８０に代えて光吸収機能を有する隔壁として設けられている。
【００７１】
［第１１の変形例］
図１６は、本技術の実施の形態における発光モジュール部分の第１１の変形例を示す図である。
【００７２】
この第１１の変形例では、上述の実施の形態における光吸収層１７０の下に光反射層１９０を設けた構造になっている。これにより、画素の周辺に逸れた光を画素内に反射させることにより、光取り出し効率をさらに向上させることができる。
【００７３】
［第１２の変形例］
図１７は、本技術の実施の形態における発光モジュール部分の第１２の変形例を示す図である。
【００７４】
この第１２の変形例では、上述の第１１の変形例における光吸収層１７０および光反射層１９０がレンズ１６０の一部を覆う構造となっている。これにより、外光の反射をさらに低減することができる。
【００７５】
［第１３の変形例］
図１８は、本技術の実施の形態における発光モジュール部分の第１３の変形例を示す図である。
【００７６】
この第１３の変形例では、上述の実施の形態におけるカラーフィルタ１５０の上面に、封止材２１０を挟んでガラス２２０による対向基板を設け、その上にレンズ１６０を設けた構造になっている。すなわち、集光レンズおよび散乱レンズの少なくとも一部は対向基板に形成されていてもよい。
【００７７】
［第１４の変形例］
図１９は、本技術の実施の形態における発光モジュール部分の第１４の変形例を示す図である。
【００７８】
この第１４の変形例では、レンズ１６０の散乱レンズおよびカラーフィルタ１５０の集光レンズが、発光素子１３０の中心軸から所定の距離ずれた位置に設けられた構造になっている。そのため、同図では隣接する画素のカラーフィルタ１５１が表れている。これにより、発光素子１３０からの光の方向を真正面（垂直方向）ではなく、必要に応じて任意の方向（同図では右方向）に傾けることができる。
【００７９】
［第１５の変形例］
図２０は、本技術の実施の形態における発光モジュール部分の第１５の変形例を示す図である。
【００８０】
この第１５の変形例では、上述の実施の形態における発光素子１３０の側壁に光反射層１９０を設けた構造になっている。これにより、画素の周辺に逸れた光を画素内に反射させることにより、光取り出し効率をさらに向上させることができる。この構造においては、同図に示すように、カラーフィルタ１５０の集光レンズの方向に拡がり角を備えるリフレクタ構造を採用することにより、反射効率を高めることができる。
【００８１】
＜３．適用例＞
以下では、上述の実施の形態の表示装置が適用され得る電子機器の例について説明する。
【００８２】
図２１は、本技術の実施の形態の第１の適用例であるスマートフォン４０１の外観を示す図である。このスマートフォン４０１は、ユーザからの操作入力を受け付ける操作部４０３と、各種の情報を表示する表示部４０５とを備える。この表示部４０５が、上述の実施の形態の表示装置によって構成され得る。
【００８３】
図２２は、本技術の実施の形態の第２の適用例であるデジタルカメラ４１１の前方（被写体側）から眺めた外観を示す図である。図２３は、本技術の実施の形態の第２の適用例であるデジタルカメラ４１１の後方から眺めた外観を示す図である。このデジタルカメラ４１１は、本体部（カメラボディ）４１３と、交換式のレンズユニット４１５と、撮影時にユーザによって把持されるグリップ部４１７とを備える。また、このデジタルカメラ４１１は、各種の情報を表示するモニタ４１９と、撮影時にユーザによって観察されるスルー画を表示するＥＶＦ（電子ビューファインダ）４２１とを備える。このモニタ４１９およびＥＶＦ４２１が、上述の実施の形態の表示装置によって構成され得る。
【００８４】
図２４は、本技術の実施の形態の第３の適用例であるＨＭＤ４３１の外観を示す図である。このＨＭＤ（Head Mounted Display）４３１は、各種の情報を表示する眼鏡型の表示部４３３と、装着時にユーザの耳に掛止される耳掛け部４３５とを備える。この表示部４３３が、上述の実施の形態の表示装置によって構成され得る。
【００８５】
以上、各実施の形態に係る表示装置が適用され得る電子機器のいくつかの例について説明した。なお、各実施の形態に係る表示装置が適用され得る電子機器は上に例示したものに限定されず、この表示装置は、テレビジョン装置、電子ブック、ＰＤＡ、ノート型ＰＣ、ビデオカメラ、または、ゲーム機器等、外部から入力された画像信号または内部で生成した画像信号に基づいて表示を行うあらゆる分野の電子機器に搭載される表示装置に適用することが可能である。
【００８６】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【００８７】
なお、本明細書に記載された効果はあくまで例示であって、限定されるものではなく、また、他の効果があってもよい。
【００８８】
なお、本技術は以下のような構成もとることができる。
（１）発光素子と、
前記発光素子から発光された光を集光する集光レンズと、
前記集光レンズによって集光された光を散乱させる散乱レンズと
を具備する表示装置。
（２）複数の画素を平面上に配置し、
前記複数の画素の少なくとも一部の画素は、前記発光素子、前記集光レンズおよび前記散乱レンズの組を備える
前記（１）に記載の表示装置。
（３）前記画素の周囲に隔壁をさらに具備する前記（２）に記載の表示装置。
（４）前記隔壁は、前記画素内の光を反射する
前記（３）に記載の表示装置。
（５）前記隔壁は、前記画素内の光を吸収する
前記（３）に記載の表示装置。
（６）前記発光素子、前記集光レンズおよび前記散乱レンズの組は、特定の色の画素にのみ設けられる
前記（２）から（５）のいずれかに記載の表示装置。
（７）前記特定の色の画素は、白色画素である
前記（６）に記載の表示装置。
（８）前記集光レンズまたは前記散乱レンズの周囲において光を吸収する光吸収層をさらに具備する前記（１）から（７）のいずれかに記載の表示装置。
（９）前記光吸収層は、前記集光レンズまたは前記散乱レンズの一部を覆う
前記（８）に記載の表示装置。
（１０）前記光吸収層の下に光を反射する光反射層をさらに具備する前記（８）または（９）に記載の表示装置。
（１１）前記発光素子の周囲において光を反射する光反射層をさらに具備する前記（１）から（１０）のいずれかに記載の表示装置。
（１２）前記光反射層は、前記集光レンズの方向に拡がり角を備える
前記（１１）に記載の表示装置。
（１３）前記集光レンズは、色変化層を備える
前記（１）から（１２）のいずれかに記載の表示装置。
（１４）前記散乱レンズは、色変化層を備える
前記（１）から（１３）のいずれかに記載の表示装置。
（１５）前記散乱レンズと前記集光レンズとの間に対向基板をさらに具備する前記（１）から（１４）のいずれかに記載の表示装置。
（１６）前記散乱レンズおよび前記集光レンズは、前記発光素子の中心軸から所定の距離ずれた位置に設けられる
前記（１）から（１５）のいずれかに記載の表示装置。
（１７）基板の上に電極を形成する手順と、
前記電極の上に発光素子を形成する手順と、
前記発光素子を覆う保護層を形成する手順と、
前記保護層の上に湾曲形状を形成する手順と、
前記湾曲形状に沿って集光レンズを形成する手順と、
前記集光レンズの表面に散乱レンズを形成する手順と
を備える表示装置の製造方法。
【符号の説明】
【００８９】
１１  サンプリングトランジスタ
１２  駆動トランジスタ
１３  保持容量
１４  発光素子
１５  接地配線
１００  表示装置
１０１  画素回路
１０２  画素アレイ部
１０３  水平セレクタ
１０４  ライトスキャナ
１０５  電源スキャナ
１１０  基板
１２０  電極
１３０  発光素子
１４０  保護層
１５０、１５１  カラーフィルタ
１６０  レンズ
１７０  光吸収層
１８０  隔壁
１９０  光反射層
２１０  封止材
２２０  ガラス
【図１】
2019159641.tif 000003
【図２】
2019159641.tif 000004
【図３】
2019159641.tif 000005
【図４】
2019159641.tif 000006
【図５】
2019159641.tif 000007
【図６】
2019159641.tif 000008
【図７】
2019159641.tif 000009
【図８】
2019159641.tif 000010
【図９】
2019159641.tif 000011
【図１０】
2019159641.tif 000012
【図１１】
2019159641.tif 000013
【図１２】
2019159641.tif 000014
【図１３】
2019159641.tif 000015
【図１４】
2019159641.tif 000016
【図１５】
2019159641.tif 000017
【図１６】
2019159641.tif 000018
【図１７】
2019159641.tif 000019
【図１８】
2019159641.tif 000020
【図１９】
2019159641.tif 000021
【図２０】
2019159641.tif 000022
【図２１】
2019159641.tif 000023
【図２２】
2019159641.tif 000024
【図２３】
2019159641.tif 000025
【図２４】
2019159641.tif 000026
【国際調査報告】
2019159641.tif 000027
2019159641.tif 000028
2019159641.tif 000029
2019159641.tif 000030